(57)【特許請求の範囲】
【請求項１】
ヒトが排泄した１回の尿中におけるナトリウム又はカリウムである特定成分の濃度と、上記ヒトが１日に排泄した全ての尿を１つに収集したときの上記１日の全尿中における上記特定成分の濃度との間の相関関係を表すデータを記憶している相関関係記憶部と、
被測定者が排泄する１日の全尿量を、上記被測定者のサンプリング期間における尿量からの換算、又は、ヒトの１日当たりの全尿量を収録したデータベースに基づいて取得する全尿量取得部と、
上記被測定者が排泄した１回の尿中における取得された上記特定成分の濃度を表すデータを受け取って入力するデータ入力部と、
上記データ入力部を介して得られた上記被測定者の上記１回の尿中における上記特定成分の濃度に基づいて、上記相関関係記憶部に記憶された上記相関関係を用いて、上記被測定者が１日に排泄した全ての尿を１つに収集するものとしたときの上記１日の全尿中における上記特定成分の濃度を換算して求める第１演算部と、
上記第１演算部によって求められた上記１日の全尿中における上記特定成分の濃度に対して、上記全尿量取得部によって取得された上記１日の全尿量を乗算して、上記被測定者の上記１日の全尿中における上記特定成分の排泄量を算出する第２演算部と
を備えたことを特徴とする尿成分分析装置。
【請求項２】
請求項１に記載の尿成分分析装置において、
上記相関関係記憶部は、上記ヒトが１日または複数日にわたって排泄した複数回の尿中における上記特定成分の濃度を平均して得られた平均濃度と、上記ヒトが１日または複数日にわたって排泄した全ての尿を１つに収集したときの上記１日または複数日の全尿中における濃度との間の相関関係を表すデータを記憶しており、
上記全尿量取得部は、上記被測定者が排泄する１日または複数日の全尿量を、上記被測定者のサンプリング期間における尿量からの換算、又は、ヒトの１日当たりの全尿量を収録したデータベースに基づいて取得し、
上記データ入力部は、上記被測定者が１日または複数日にわたって排泄した複数回の尿中における取得された上記特定成分の濃度を表すデータをそれぞれ受け取って入力し、
上記第１演算部は、上記被測定者が１日または複数日にわたって排泄した上記複数回の尿中における上記特定成分の濃度を平均して平均濃度を得、この平均濃度を上記換算の対象にし、
上記第２演算部は、上記第１演算部によって求められた上記１日の全尿中における上記特定成分の濃度に対して、上記全尿量取得部によって取得された上記１日または複数日の全尿量を乗算して、上記被測定者の上記１日または複数日にわたる上記特定成分の排泄量を算出することを特徴とする尿成分分析装置。
【請求項３】
請求項２に記載の尿成分分析装置において、
上記第２演算部は、日ごとに得られた上記特定成分の排泄量に基づいて、上記特定成分の排泄量の１日当たりの平均値を算出することを特徴とする尿成分分析装置。
【請求項４】
請求項１から３までのいずれか一つに記載の尿成分分析装置において、
上記１回の尿または上記複数回の尿は、起床後１回目の尿、起床後２回目の尿、就寝直前の尿のうちのいずれかであり、
上記第１演算部は、上記１回の尿または上記複数回の尿が起床後１回目の尿、起床後２回目の尿、就寝直前の尿のうちのいずれであるかに応じた上記相関関係を用いることを特徴とする尿成分分析装置。
【請求項５】
請求項４に記載の尿成分分析装置において、
上記被測定者が排泄した上記１回の尿または上記複数回の尿が起床後１回目の尿、起床後２回目の尿、就寝直前の尿のうちのいずれであるかを表す情報を入力する尿指定部を備えたことを特徴とする尿成分分析装置。
【請求項６】
請求項４に記載の尿成分分析装置において、
上記データ入力部は、上記特定成分の濃度に関するデータをリアルタイムで入力し、
上記特定成分の濃度に関するデータが入力された時刻に応じて、上記被測定者が排泄した上記１回の尿または上記複数回の尿が起床後１回目の尿、起床後２回目の尿、就寝直前の尿のうちのいずれであるかを判断する尿判断部を備えたことを特徴とする尿成分分析装置。
【請求項７】
請求項１から６までのいずれか一つに記載の尿成分分析装置において、
上記全尿量取得部が取得する上記１日または複数日の全尿量は、上記被測定者が１日以上のサンプリング期間にわたって排泄した全尿量を測定し、そのサンプリング期間の全尿量を日数で換算して得られた量であることを特徴とする尿成分分析装置。
【請求項８】
請求項１から６までのいずれか一つに記載の尿成分分析装置において、
上記被測定者の性別、年齢、身長および体重、並びに上記被測定者が上記１回または複数回の尿を排泄したときの季節、月日、気温および湿度のうち少なくとも一つの条件を入力する条件入力部を備え、
上記全尿量取得部は、上記条件入力部を介して入力された条件に基づいて、ヒトの１日当たりの全尿量を収録した所定のデータベースを参照して、上記被測定者が排泄する１日の全尿量を取得することを特徴とする尿成分分析装置。
【請求項９】
請求項８に記載の尿成分分析装置において、
日付をカウントするカレンダ部を備え、
上記被測定者が上記１回または複数回の尿を排泄したときの季節と月日は、上記カレンダ部の出力によって設定されることを特徴とする尿成分分析装置。
【請求項１０】
請求項１から９までのいずれか一つに記載の尿成分分析装置において、
上記被測定者が排泄した尿に接触して、上記特定成分の濃度に関するデータを取得するセンサ部を備えたことを特徴とする尿成分分析装置。
【請求項１１】
請求項１から１０までのいずれか一つに記載の尿成分分析装置において、
上記第２演算部が算出した上記特定成分の排泄量を記憶する演算結果記憶部を備えたことを特徴とする尿成分分析装置。
【請求項１２】
請求項１から１１までのいずれか一つに記載の尿成分分析装置において、
上記第２演算部が算出した上記特定成分の排泄量を報知する報知部を備えたことを特徴とする尿成分分析装置。
【請求項１３】
請求項１０に記載の尿成分分析装置において、
上記相関関係記憶部、全尿量取得部、データ入力部、第１演算部および第２演算部を、少なくとも搭載した筐体を備え、
上記センサ部は、上記筐体から外部へ突出した態様で上記筐体に取り付けられていることを特徴とする尿成分分析装置。
【請求項１４】
請求項１から１２までのいずれか一つに記載の尿成分分析装置において、
上記相関関係記憶部、全尿量取得部、データ入力部、第１演算部および第２演算部を、少なくとも搭載した筐体を備え、
上記データ入力部は、無線または有線の通信回線を介して、上記筐体の外部から上記特定成分の濃度に関するデータを入力し、
上記第２演算部が算出した上記特定成分の排泄量を、無線または有線の通信回線を介して、上記筐体の外部へ出力する演算結果送信部が、上記筐体にさらに搭載されていることを特徴とする尿成分分析装置。
【請求項１５】
請求項１から１４までのいずれか一つに記載の尿成分分析装置において、
上記特定成分としての塩分の排泄量と、上記塩分の排泄量に応じた上記被測定者に対するアドバイスとを対応づけて記憶するアドバイステーブルと、
上記アドバイステーブルを参照して、上記第２演算部が算出した上記特定成分としての塩分の排泄量に応じたアドバイスを選択するアドバイス部を備えたことを特徴とする尿成分分析装置。
【請求項１６】
ヒトが排泄した１回の尿中におけるナトリウム又はカリウムである特定成分の濃度と、上記ヒトが１日に排泄した全ての尿を１つに収集したときの上記１日の全尿中における上記特定成分の濃度との間の相関関係を表すデータを、所定の記憶部に記憶させておき、
被測定者が排泄する１日の全尿量を、上記被測定者のサンプリング期間における尿量からの換算、又は、ヒトの１日当たりの全尿量を収録したデータベースに基づいて取得するとともに、上記被測定者が排泄した１回の尿中における取得された上記特定成分の濃度を表すデータを受け取って入力し、
入力された上記被測定者の上記１回の尿中における上記特定成分の濃度に基づいて、上記記憶部に記憶された上記相関関係を用いて、上記被測定者が１日に排泄した全ての尿を１つに収集するものとしたときの上記１日の全尿中における上記特定成分の濃度を換算して求め、
この求められた上記１日の全尿中における上記特定成分の濃度に対して、上記換算又はデータベースに基づいて取得された上記１日の全尿量を乗算して、上記被測定者の上記１日の全尿中における上記特定成分の排泄量を算出することを特徴とする尿成分分析方法。
【発明の詳細な説明】
【技術分野】
【０００１】
この発明は尿成分分析装置および尿成分分析方法に関し、より詳しくは、被測定者の尿中における特定成分の排泄量を求める尿成分分析装置および尿成分分析方法に関する。
【背景技術】
【０００２】
従来、尿成分を分析する技術として、例えば特許文献１（特許第３８２３０３９号公報）に開示されているように、内管と外管とを備えた尿輸送容器を用い、内管に採取された尿の重量または体積に基づいて、最初に採取された尿の全量を求めると共に、採取された尿中の成分の排泄量を測定する方法が知られている。
【０００３】
また、特許文献２（特許第４３２９１２３号公報）に開示されているように、ヒトが排泄する起床後１番尿の量と特定成分の濃度とを測定して前記起床後一番尿中の特定成分排泄量を求めるとともに、就寝前の放尿から前記起床後一番尿の放尿までの経過時間を取得し、前記特定成分排泄量を前記経過時間と予め設定されている規定時間との比に基づいて規定時間当量へ換算し、この換算された前記規定時間当量に基づいて、ヒトが一日に排泄する特定成分排泄量を算出する方法が知られている。
【０００４】
また、特許文献３（特開平１０−２１３５８４号公報）に開示されているように、ヒトが排泄する尿中の塩分濃度を測定し、測定された前記尿中塩分濃度にヒトが一日に排泄する尿の総量を掛け合わせてヒトが一日に排泄する塩分の総量を求め、これに基づいてヒトの一日の塩分摂取量を算出する方法が知られている。上記ヒトが一日に排泄する尿の総量としては、例えば、日本人の一日の平均尿量等の既知の値を用いてもよく、被測定者自身が一日に排泄する尿の総量を測定し、この値を用いてもよい旨が記載されている。
【先行技術文献】
【特許文献】
【０００５】
【特許文献１】特許第３８２３０３９号公報
【特許文献２】特許第４３２９１２３号公報
【特許文献３】特開平１０−２１３５８４号公報
【発明の概要】
【発明が解決しようとする課題】
【０００６】
ところで、高血圧症患者の食事療法として、減塩やカリウム摂取が一般的に指導されている。信頼できる文献（ウォルター・ウィレット（Walter Willett）著、田中平三訳、「食事調査の全て  栄養疫学」、第２版、第一出版、２００３年５月）によると、ヒトが食事により摂取したナトリウムとカリウムが尿中に排泄される量の割合は、それぞれ８６％、７７％とされている。したがって、毎日の尿中のナトリウム排泄量（Ｎａ排泄量）とカリウム排泄量（Ｋ排泄量）、特にナトリウム排泄量とカリウム排泄量との間の比（Ｎａ／Ｋ比）を調べることで、高血圧症患者のための食事療法に反映できる。
【０００７】
しかしながら、特許文献１（特許第３８２３０３９号公報）の方法では、長期間にわたって日ごとに測定を行う場合、被測定者が排尿のたびに尿の一部を採取する必要があり、被測定者にとって煩わしいという問題がある。例えば、被測定者が外出先に容器を持参して採尿するのは、非常に煩わしく、日常的に実践するのに困難が伴う。
【０００８】
また、特許文献２（特許第４３２９１２３号公報）の方法では、起床後１番尿のみとはいえ、その尿を全て収集して尿量を計測する必要があるため、被測定者にとって煩わしいという問題がある。つまり、被測定者の１回分の尿量が比較的多い場合を考慮すると、被測定者は１リットル程度の比較的大容量の容器を準備する必要がある。さらに被測定者がその容器を繰り返し使用する場合、比較的大容量の容器を洗浄するための手間がかかる。なお、便器に１回分の尿量を計測する機能を追加する場合は、非常に大掛かりな装置の設置が必要となる。
【０００９】
一方、特許文献３（特開平１０−２１３５８４号公報）の方法では、ヒトが一日に排泄する尿の総量として、例えば上述の日本人の一日の平均尿量等の既知の値を用いる場合、尿量測定の手間がかからない。しかしながら、ヒトが排泄する尿中の塩分濃度は排尿の度に変動する。このため、同文献の方法では、算出の精度が良くないという問題がある。
【００１０】
そこで、この発明の課題は、被測定者の１日の全尿中における特定成分の排泄量を簡便にかつ精度良く求めることができる尿成分分析装置および尿成分分析方法を提供することにある。
【課題を解決するための手段】
【００１１】
上記課題を解決するため、この発明の尿成分分析装置は、
ヒトが排泄した１回の尿中におけるナトリウム又はカリウムである特定成分の濃度と、上記ヒトが１日に排泄した全ての尿を１つに収集したときの上記１日の全尿中における上記特定成分の濃度との間の相関関係を表すデータを記憶している相関関係記憶部と、
被測定者が排泄する１日の全尿量を、上記被測定者のサンプリング期間における尿量からの換算、又は、ヒトの１日当たりの全尿量を収録したデータベースに基づいて取得する全尿量取得部と、
上記被測定者が排泄した１回の尿中における取得された上記特定成分の濃度を表すデータを受け取って入力するデータ入力部と、
上記データ入力部を介して得られた上記被測定者の上記１回の尿中における上記特定成分の濃度に基づいて、上記相関関係記憶部に記憶された上記相関関係を用いて、上記被測定者が１日に排泄した全ての尿を１つに収集するものとしたときの上記１日の全尿中における上記特定成分の濃度を換算して求める第１演算部と、
上記第１演算部によって求められた上記１日の全尿中における上記特定成分の濃度に対して、上記全尿量取得部によって取得された上記１日の全尿量を乗算して、上記被測定者の上記１日の全尿中における上記特定成分の排泄量を算出する第２演算部と
を備えたことを特徴とする。
【００１２】
本明細書で、「ヒト」は、「被測定者」と同一人であっても良い。「ヒト」は、複数人であっても良く、その場合は「被測定者」を含んでいても良い。
【００１３】
この発明の尿成分分析装置では、相関関係記憶部は、ヒトが排泄した１回の尿中におけるナトリウム又はカリウムである特定成分の濃度と、上記ヒトが１日に排泄した全ての尿を１つに収集したときの上記１日の全尿中における上記特定成分の濃度との間の相関関係を表すデータを記憶している。全尿量取得部は、被測定者が排泄する１日の全尿量を、上記被測定者のサンプリング期間における尿量からの換算、又は、ヒトの１日当たりの全尿量を収録したデータベースに基づいて取得する。データ入力部は、上記被測定者が排泄した１回の尿中における取得された上記特定成分の濃度を表すデータを受け取って入力する。第１演算部は、上記データ入力部を介して得られた上記被測定者の上記１回の尿中における上記特定成分の濃度に基づいて、上記相関関係記憶部に記憶された上記相関関係を用いて、上記被測定者が１日に排泄した全ての尿を１つに収集するものとしたときの上記１日の全尿中における上記特定成分の濃度を換算して求める。さらに、第２演算部は、上記第１演算部によって求められた上記１日の全尿中における上記特定成分の濃度に対して、上記全尿量取得部によって取得された上記１日の全尿量を乗算して、上記被測定者の上記１日の全尿中における上記特定成分の排泄量を算出する。
【００１４】
ここで、この尿成分分析装置では、上記全尿量取得部が、被測定者が排泄する１日の全尿量を、上記被測定者のサンプリング期間における尿量からの換算、又は、ヒトの１日当たりの全尿量を収録したデータベースに基づいて取得するので、上記被測定者が尿量測定する手間を軽減または省略できる。したがって、被測定者の１日の全尿中における特定成分の排泄量を簡便に求めることができる。しかも、この尿成分分析装置では、上記第１演算部が、上記データ入力部を介して得られた上記被測定者の上記１回の尿中における上記特定成分の濃度に基づいて、上記相関関係記憶部に記憶された上記相関関係を用いて、上記被測定者が１日に排泄した全ての尿を１つに収集するものとしたときの上記１日の全尿中における上記特定成分の濃度を換算して求める。この結果、上記第２演算部による上記被測定者の上記１日の全尿中における上記特定成分の排泄量の算出の精度を高めることができる。
【００１５】
一実施形態の尿成分分析装置では、
上記相関関係記憶部は、上記ヒトが１日または複数日にわたって排泄した複数回の尿中における上記特定成分の濃度を平均して得られた平均濃度と、上記ヒトが１日または複数日にわたって排泄した全ての尿を１つに収集したときの上記１日または複数日の全尿中における濃度との間の相関関係を表すデータを記憶しており、
上記全尿量取得部は、上記被測定者が排泄する１日または複数日の全尿量を、上記被測定者のサンプリング期間における尿量からの換算、又は、ヒトの１日当たりの全尿量を収録したデータベースに基づいて取得し、
上記データ入力部は、上記被測定者が１日または複数日にわたって排泄した複数回の尿中における取得された上記特定成分の濃度を表すデータをそれぞれ受け取って入力し、
上記第１演算部は、上記被測定者が１日または複数日にわたって排泄した上記複数回の尿中における上記特定成分の濃度を平均して平均濃度を得、この平均濃度を上記換算の対象にし、
上記第２演算部は、上記第１演算部によって求められた上記１日の全尿中における上記特定成分の濃度に対して、上記全尿量取得部によって取得された上記１日または複数日の全尿量を乗算して、上記被測定者の上記１日または複数日にわたる上記特定成分の排泄量を算出することを特徴とする。
【００１６】
この一実施形態の尿成分分析装置では、上記相関関係記憶部は、上記ヒトが１日または複数日にわたって排泄した複数回の尿中における上記特定成分の濃度を平均して得られた平均濃度と、上記ヒトが１日または複数日にわたって排泄した全ての尿を１つに収集したときの上記１日または複数日の全尿中における濃度との間の相関関係を表すデータを記憶している。上記全尿量取得部は、上記被測定者が排泄する１日または複数日の全尿量を、上記被測定者のサンプリング期間における尿量からの換算、又は、ヒトの１日当たりの全尿量を収録したデータベースに基づいて取得する。上記データ入力部は、上記被測定者が１日または複数日にわたって排泄した複数回の尿中における取得された上記特定成分の濃度を表すデータをそれぞれ受け取って入力する。上記第１演算部は、上記被測定者が１日または複数日にわたって排泄した上記複数回の尿中における上記特定成分の濃度を平均して平均濃度を得、この平均濃度を上記換算の対象にする。さらに、上記第２演算部は、上記第１演算部によって求められた上記１日の全尿中における上記特定成分の濃度に対して、上記全尿量取得部によって取得された上記１日または複数日の全尿量を乗算して、上記被測定者の上記１日または複数日にわたる上記特定成分の排泄量を算出する。このようにした場合、算出された上記特定成分の排泄量の精度が高まる。
【００１７】
一実施形態の尿成分分析装置では、上記第２演算部は、日ごとに得られた上記特定成分の排泄量に基づいて、上記特定成分の排泄量の１日当たりの平均値を算出することを特徴とする。
【００１８】
この一実施形態の尿成分分析装置では、上記第２演算部が、日ごとに得られた上記特定成分の排泄量に基づいて、上記特定成分の排泄量の１日当たりの平均値を算出する。したがって、上記被測定者の１日当たりの尿中の上記特定成分の排泄量が精度良く算出される。
【００１９】
一実施形態の尿成分分析装置では、
上記１回の尿または上記複数回の尿は、起床後１回目の尿、起床後２回目の尿、就寝直前の尿のうちのいずれかであり、
上記第１演算部は、上記１回の尿または上記複数回の尿が起床後１回目の尿、起床後２回目の尿、就寝直前の尿のうちのいずれであるかに応じた上記相関関係を用いることを特徴とする。
【００２０】
本明細書で、「就寝直前の尿」とは、上記被測定者が排泄した就寝前の最後の１回の尿を指す。
【００２１】
この一実施形態の尿成分分析装置では、上記１回の尿または上記複数回の尿は、起床後１回目の尿、起床後２回目の尿、就寝直前の尿のうちのいずれかである。上記第１演算部は、上記１回の尿または上記複数回の尿が起床後１回目の尿、起床後２回目の尿、就寝直前の尿のうちのいずれであるかに応じた上記相関関係を用いる。このようにした場合、算出された上記特定成分の排泄量の精度がさらに高まる。
【００２２】
一実施形態の尿成分分析装置では、上記被測定者が排泄した上記１回の尿または上記複数回の尿が起床後１回目の尿、起床後２回目の尿、就寝直前の尿のうちのいずれであるかを表す情報を入力する尿指定部を備えたことを特徴とする。
【００２３】
この一実施形態の尿成分分析装置では、ユーザ（被測定者自身であっても良いし、被測定者のために本装置を操作する者であっても良い。以下同様。）が、尿指定部を介して、上記被測定者が排泄した上記１回の尿または上記複数回の尿が起床後１回目の尿、起床後２回目の尿、就寝直前の尿のうちのいずれであるかを表す情報を入力することができる。この入力により、上記被測定者が排泄した上記１回の尿または上記複数回の尿が起床後１回目の尿、起床後２回目の尿、就寝直前の尿のうちのいずれであるかが指定される。この結果、上記第１演算部は、上記相関関係記憶部に記憶された相関関係のうち、上記１回の尿または上記複数回の尿が起床後１回目の尿、起床後２回目の尿、就寝直前の尿のうちのいずれであるかに応じた相関関係を選択して用いることができる。
【００２４】
一実施形態の尿成分分析装置では、
上記データ入力部は、上記特定成分の濃度に関するデータをリアルタイムで入力し、
上記特定成分の濃度に関するデータが入力された時刻に応じて、上記被測定者が排泄した上記１回の尿または上記複数回の尿が起床後１回目の尿、起床後２回目の尿、就寝直前の尿のうちのいずれであるかを判断する尿判断部を備えたことを特徴とする。
【００２５】
本明細書で、「上記特定成分の濃度に関するデータ」とは、上記特定成分の濃度を表すデータ含み、さらに、その濃度を補正するためのデータを含んでいても良い。
【００２６】
この一実施形態の尿成分分析装置では、上記データ入力部は、上記特定成分の濃度に関するデータをリアルタイムで入力する。尿判断部は、上記特定成分の濃度に関するデータが入力された時刻に応じて、上記被測定者が排泄した上記１回の尿または上記複数回の尿が起床後１回目の尿、起床後２回目の尿、就寝直前の尿のうちのいずれであるかを判断する。この判断結果により、上記被測定者が排泄した上記１回の尿または上記複数回の尿が起床後１回目の尿、起床後２回目の尿、就寝直前の尿のうちのいずれであるかが指定される。この結果、上記第１演算部は、上記相関関係記憶部に記憶された相関関係のうち、上記１回の尿または上記複数回の尿が起床後１回目の尿、起床後２回目の尿、就寝直前の尿のうちのいずれであるかに応じた相関関係を選択して用いることができる。
【００２７】
一実施形態の尿成分分析装置では、上記全尿量取得部が取得する上記１日または複数日の全尿量は、上記被測定者が１日以上のサンプリング期間にわたって排泄した全尿量を測定し、そのサンプリング期間の全尿量を日数で換算して得られた量であることを特徴とする。
【００２８】
ここで、「日数で換算」とは、サンプリング期間の全尿量に対して、（上記１日または複数日の日数）／（サンプリング期間の日数）という比を乗算することを意味する。
【００２９】
この一実施形態の尿成分分析装置では、上記全尿量取得部が取得する上記１日または複数日の全尿量は、上記被測定者が１日以上のサンプリング期間にわたって排泄した全尿量を測定し、そのサンプリング期間の全尿量を日数で換算して得られた量である。したがって、上記被測定者はサンプリング期間の間だけ尿量を測定すれば済む。よって、上記被測定者が尿量測定する手間を軽減できる。
【００３０】
一実施形態の尿成分分析装置では、
上記被測定者の性別、年齢、身長および体重、並びに上記被測定者が上記１回または複数回の尿を排泄したときの季節、月日、気温および湿度のうち少なくとも一つの条件を入力する条件入力部を備え、
上記全尿量取得部は、上記条件入力部を介して入力された条件に基づいて、ヒトの１日当たりの全尿量を収録した所定のデータベースを参照して、上記被測定者が排泄する１日の全尿量を取得することを特徴とする。
【００３１】
この一実施形態の尿成分分析装置では、上記条件入力部は、上記被測定者の性別、年齢、身長および体重、並びに上記被測定者が上記１回または複数回の尿を排泄したときの季節、月日、気温および湿度のうち少なくとも一つの条件を入力する。上記全尿量取得部は、上記条件入力部を介して入力された条件に基づいて、ヒトの１日当たりの全尿量を収録した所定のデータベースを参照して、上記被測定者が排泄する１日の全尿量を取得する。したがって、上記被測定者が排泄する１日の全尿量を取得するために、ユーザ（または被測定者）は幾つかの条件を入力するだけで済む。よって、上記被測定者が尿量測定する手間を省略できる。
【００３２】
一実施形態の尿成分分析装置では、
日付をカウントするカレンダ部を備え、
上記被測定者が上記１回または複数回の尿を排泄したときの季節と月日は、上記カレンダ部の出力によって設定されることを特徴とする。
【００３３】
この一実施形態の尿成分分析装置では、日付をカウントするカレンダ部を備える。したがって、上記被測定者が上記１回または複数回の尿を排泄したときの季節と月日は、上記カレンダ部の出力によって自動的に設定され得る。これにより、ユーザが上記条件入力部を介して入力すべき条件の数が低減されて、ユーザの手間が省略される。
【００３４】
一実施形態の尿成分分析装置では、上記被測定者が排泄した尿に接触して、上記特定成分の濃度に関するデータを取得するセンサ部を備えたことを特徴とする。
【００３５】
この一実施形態の尿成分分析装置では、センサ部が、上記被測定者が排泄した尿に接触して、上記特定成分の濃度に関するデータを取得する。このセンサ部が取得した上記特定成分の濃度は、上記データ入力部によって入力されて、上記第１演算部による換算の対象になる。
【００３６】
一実施形態の尿成分分析装置では、上記第２演算部が算出した上記特定成分の排泄量を記憶する演算結果記憶部を備えたことを特徴とする。
【００３７】
この一実施形態の尿成分分析装置では、上記第２演算部が算出した上記特定成分の排泄量が、演算結果記憶部に記憶される。したがって、ユーザは、この演算結果記憶部の内容を読み出すことによって、上記被測定者の上記１日の全尿中における上記特定成分の排泄量を、容易に知ることができる。特に、上記被測定者の１日の全尿中における上記特定成分の排泄量を、日ごとに演算結果記憶部に記憶させておけば、ユーザは、上記特定成分の排泄量の、日ごとの変化の傾向を、容易に知ることができる。
【００３８】
一実施形態の尿成分分析装置では、上記第２演算部が算出した上記特定成分の排泄量を報知する報知部を備えたことを特徴とする。
【００３９】
この一実施形態の尿成分分析装置では、報知部は、上記第２演算部が算出した上記特定成分の排泄量を報知する。したがって、ユーザは、この報知部による報知を受けて、上記被測定者の１日の全尿中における上記特定成分の排泄量を、容易に知ることができる。
【００４０】
一実施形態の尿成分分析装置では、
上記相関関係記憶部、全尿量取得部、データ入力部、第１演算部および第２演算部を、少なくとも搭載した筐体を備え、
上記センサ部は、上記筐体から外部へ突出した態様で上記筐体に取り付けられていることを特徴とする。
【００４１】
この一実施形態の尿成分分析装置では、上記相関関係記憶部、全尿量取得部、データ入力部、第１演算部および第２演算部を、少なくとも搭載した筐体を備えている。また、上記センサ部は、上記筐体から外部へ突出した態様で上記筐体に取り付けられている。したがって、ユーザが上記筐体を手に持って使用する手持ちタイプの尿成分分析装置が構成され得る。
【００４２】
例えば、この手持ちタイプの尿成分分析装置を使用する場合、ユーザとしての被測定者が排尿する時、上記筐体を手に持って上記センサ部に尿が降りかかる状態にする。これにより、上記センサ部が、上記被測定者が排泄した尿に接触して、上記特定成分の濃度に関するデータを取得する。
【００４３】
または、ユーザとしての被測定者が排尿する時、１回の尿の一部を使い捨ての紙コップに採取し、上記筐体を手に持って上記センサ部を上記紙コップ内の尿に浸漬しても良い。
【００４４】
または、ユーザとしての被測定者が排尿する時、１回の尿の一部をトイレットペーパにしみ込ませ、上記筐体を手に持って上記センサ部をそのトイレットペーパにしみ込んだ尿に接触させても良い。
【００４５】
いずれにしても、この手持ちタイプの尿成分分析装置によれば、簡単な操作で演算結果が得られる。
【００４６】
一実施形態の尿成分分析装置では、
上記相関関係記憶部、全尿量取得部、データ入力部、第１演算部および第２演算部を、少なくとも搭載した筐体を備え、
上記データ入力部は、無線または有線の通信回線を介して、上記筐体の外部から上記特定成分の濃度に関するデータを入力し、
上記第２演算部が算出した上記特定成分の排泄量を、無線または有線の通信回線を介して、上記筐体の外部へ出力する演算結果送信部が、上記筐体にさらに搭載されていることを特徴とする。
【００４７】
この一実施形態の尿成分分析装置では、上記相関関係記憶部、全尿量取得部、データ入力部、第１演算部および第２演算部を、少なくとも搭載した筐体を備えている。上記データ入力部は、無線または有線の通信回線を介して、上記筐体の外部から上記特定成分の濃度に関するデータを入力する。上記第２演算部が算出した上記特定成分の排泄量を、無線または有線の通信回線を介して、上記筐体の外部へ出力する演算結果送信部が、上記筐体にさらに搭載されている。したがって、データの入力、演算結果の出力を無線または有線の通信回線を介して行うサーバタイプの尿成分分析装置が構成され得る。
【００４８】
例えば、このサーバタイプの尿成分分析装置を使用する場合、上記筐体から離れた遠隔地に居るユーザとしての被測定者がセンサ等の手段によって上記特定成分の濃度に関するデータを取得する。このデータが上記データ入力部によって無線または有線の通信回線を介して入力される。この結果、上記第２演算部によって、上記被測定者の１日の全尿中における上記特定成分の排泄量が算出される。上記第２演算部が算出した上記特定成分の排泄量は、上記演算結果送信部によって無線または有線の通信回線を介して、上記筐体から離れた遠隔地に居る被測定者へ向けて出力される。この結果、上記被測定者は、自身が居る場所で、例えばパーソナルコンピュータまたは携帯電話の表示画面を通して、上記第２演算部が算出した上記特定成分の排泄量を知ることができる。
【００４９】
このように、このサーバタイプの尿成分分析装置によれば、上記筐体から離れた遠隔地に居るユーザによる利用が容易になる。
【００５０】
【００５１】
【００５２】
一実施形態の尿成分分析装置では、
上記特定成分としての塩分の排泄量と、上記塩分の排泄量に応じた上記被測定者に対するアドバイスとを対応づけて記憶するアドバイステーブルと、
上記アドバイステーブルを参照して、上記第２演算部が算出した上記特定成分としての塩分の排泄量に応じたアドバイスを選択するアドバイス部を備えたことを特徴とする。
【００５３】
ここで、上記「アドバイス」は、例えば上記被測定者の高血圧に関するアドバイスとすることができる。
【００５４】
この一実施形態の尿成分分析装置では、上記特定成分としての塩分の排泄量と、上記塩分の排泄量に応じた上記被測定者に対するアドバイスとを対応づけて記憶するアドバイステーブルを備える。アドバイス部は、上記アドバイステーブルを参照して、上記第２演算部が算出した上記特定成分としての塩分の排泄量に応じたアドバイスを選択する。したがって、上記第２演算部が算出した上記特定成分としての塩分の排泄量に応じて、例えば上記被測定者の高血圧に関するアドバイスが提供され得る。
【００５５】
この発明の尿成分分析方法は、
ヒトが排泄した１回の尿中におけるナトリウム又はカリウムである特定成分の濃度と、上記ヒトが１日に排泄した全ての尿を１つに収集したときの上記１日の全尿中における上記特定成分の濃度との間の相関関係を表すデータを、所定の記憶部に記憶させておき、
被測定者が排泄する１日の全尿量を、上記被測定者のサンプリング期間における尿量からの換算、又は、ヒトの１日当たりの全尿量を収録したデータベースに基づいて取得するとともに、上記被測定者が排泄した１回の尿中における取得された上記特定成分の濃度を表すデータを受け取って入力し、
入力された上記被測定者の上記１回の尿中における上記特定成分の濃度に基づいて、上記記憶部に記憶された上記相関関係を用いて、上記被測定者が１日に排泄した全ての尿を１つに収集するものとしたときの上記１日の全尿中における上記特定成分の濃度を換算して求め、
この求められた上記１日の全尿中における上記特定成分の濃度に対して、上記換算又はデータベースに基づいて取得された上記１日の全尿量を乗算して、上記被測定者の上記１日の全尿中における上記特定成分の排泄量を算出することを特徴とする。
【００５６】
この発明の尿成分分析方法では、被測定者が排泄する１日の全尿量を、上記被測定者のサンプリング期間における尿量からの換算、又は、ヒトの１日当たりの全尿量を収録したデータベースに基づいて取得するので、上記被測定者が尿量測定する手間を軽減または省略できる。したがって、被測定者の１日の全尿中における特定成分の排泄量を簡便に求めることができる。しかも、この尿成分分析方法では、入力された上記被測定者の上記１回の尿中における上記特定成分の濃度に基づいて、上記相関関係記憶部に記憶された上記相関関係を用いて、上記被測定者が１日に排泄した全ての尿を１つに収集するものとしたときの上記１日の全尿中における上記特定成分の濃度を換算して求める。この結果、上記特定成分の排泄量の算出の精度を高めることができる。
【発明の効果】
【００５７】
以上より明らかなように、この発明の尿成分分析装置および尿成分分析方法によれば、被測定者の１日の全尿中における特定成分の排泄量を簡便にかつ精度良く求めることができる。
【図面の簡単な説明】
【００５８】
【図１】この発明の一実施形態の尿成分分析装置のブロック構成を示す図である。
【図２】図２（Ａ），（Ｂ）は、それぞれ、上記尿成分分析装置が使用される態様を示す図である。
【図３】上記尿成分分析装置の動作フローの一例を示す図である。
【図４】図４（Ａ）は、被測定者が排泄する１日の全尿量を尿量データベースに基づいて取得するためのフローを示す図である。図４（Ｂ）は、被測定者が排泄する１日の全尿量を換算に基づいて取得するためのフローを示す図である。
【図５】図５（Ａ），（Ｂ）は、それぞれ、実測された１回の尿中のＮａＣｌ濃度と、実測された１日の全尿中のＮａＣｌ濃度との間の相関関係を示す図である。
【図６】ヒトの１日当たりの全尿量を収録したデータベースを例示する図である。
【図７】図７（Ａ），（Ｂ）は、それぞれ、１回の尿を用いて換算により得られた１日の全尿中のＮａＣｌ排泄量を、実測された１日の全尿中のＮａＣｌ排泄量を用いて検証した結果を示す図である。
【図８】図８（Ａ），（Ｂ）は、それぞれ被測定者Ｎｏ．２、Ｎｏ．６について、１回の尿を用いて換算により得られた日ごとの全尿中のＮａＣｌ排泄量を、実測された日ごとの全尿中のＮａＣｌ排泄量を用いて検証した結果を示す図である。
【図９】図９（Ａ）は、被測定者Ｎｏ．２について、１日の全尿量はデータベースを参照して取得するという条件下で１回の尿を用いて換算により得られた日ごと全尿中のＮａＣｌ排泄量を、実測された日ごとの全尿中のＮａＣｌ排泄量を用いて検証した結果を示す図である。図９（Ｂ）は、図９（Ａ）中の換算値、実測値をそれぞれ週ごとに平均して得られた平均値を示す図である。
【図１０】図１０（Ａ）は、被測定者Ｎｏ．２について、１日の全尿量はサンプリング期間の全尿量を日数で換算して取得するという条件下で１回の尿を用いて換算により得られた日ごとの全尿中のＮａＣｌ排泄量を、実測された日ごとの全尿中のＮａＣｌ排泄量を用いて検証した結果を示す図である。図１０（Ｂ）は、図１０（Ａ）中の換算値、実測値をそれぞれ週ごとに平均して得られた平均値を示す図である。
【図１１】図１１（Ａ）は、被測定者Ｎｏ．２について、１日の全尿量は実測して取得するという条件下で１回の尿を用いて換算により得られた日ごとの全尿中のＮａＣｌ排泄量を、実測された日ごとの全尿中のＮａＣｌ排泄量を用いて検証した結果を示す図である。図１１（Ｂ）は、図１１（Ａ）中の換算値、実測値をそれぞれ週ごとに平均して得られた平均値を示す図である。
【図１２】上記尿成分分析装置の動作フローの別の例を示す図である。
【図１３】図１３（Ａ）は、２回（起床後１回目、２回目）の尿を用いて得られた平均Ｎａ濃度と、実測された１日の全尿中のＮａ濃度との間の相関関係を示す図である。図１３（Ｂ）は、２回（就寝直前、起床後１回目）の尿を用いて得られた平均Ｎａ濃度と、実測された１日の全尿中のＮａ濃度との間の相関関係を示す図である。
【図１４】図１４（Ａ），（Ｂ）は、それぞれ、１回、２回の尿を用いて換算により得られた１日の全尿中のＮａ排泄量を、実測された１日当たり全尿中のＮａ排泄量を用いて検証した結果を示す図である。
【図１５】図１５（Ａ）は、１回の尿を用いて換算により得られた１日の全尿中のＮａ排泄量を、実測された１日の全尿中のＮａ排泄量を用いて検証した結果を示す図である。図１５（Ｂ）は、１回の尿を用いて換算により得られた１日の全尿中のＮａ排泄量の３日間にわたる平均値を、実測された３日間にわたる全尿中のＮａ排泄量の１日当たりの平均値を用いて検証した結果を示す図である。
【図１６】図１６（Ａ）は、１回の尿を用いて換算により得られた１日の全尿中のＮａ排泄量の５日間にわたる平均値を、実測された５日間にわたる全尿中のＮａ排泄量の１日当たりの平均値を用いて検証した結果を示す図である。図１６（Ｂ）は、１回の尿を用いて換算により得られた１日の全尿中のＮａ排泄量の７日間にわたる平均値を、実測された７日間にわたる全尿中のＮａ排泄量の１日当たりの平均値を用いて検証した結果を示す図である。
【図１７】図１７（Ａ）は、２回の尿を用いて換算により得られた１日の全尿中のＮａ排泄量を、実測された１日の全尿中のＮａ排泄量を用いて検証した結果を示す図である。図１７（Ｂ）は、２回の尿を用いて換算により得られた１日の全尿中のＮａ排泄量の３日間にわたる平均値を、実測された３日間にわたる全尿中のＮａ排泄量の１日当たりの平均値を用いて検証した結果を示す図である。
【図１８】図１８（Ａ）は、２回の尿を用いて換算により得られた１日の全尿中のＮａ排泄量の５日間にわたる平均値を、実測された５日間にわたる全尿中のＮａ排泄量の１日当たりの平均値を用いて検証した結果を示す図である。図１８（Ｂ）は、２回の尿を用いて換算により得られた１日の全尿中のＮａ排泄量の７日間にわたる平均値を、実測された７日間にわたる全尿中のＮａ排泄量の１日当たりの平均値を用いて検証した結果を示す図である。
【図１９】アドバイステーブルの内容の一例を示す図である。
【図２０】アドバイステーブルの内容の別の例を示す図である。
【図２１】この発明の別の実施形態の尿成分分析装置のブロック構成を示す図である。
【発明を実施するための形態】
【００５９】
以下、この発明を図示の実施の形態により詳細に説明する。
【００６０】
（第１実施形態）
図１は、この発明の一実施形態の尿成分分析装置（全体を符号９０で示す。）のブロック構成を示している。
【００６１】
この尿成分分析装置９０は、筐体１０と、この筐体１０に搭載されて収容された制御部１１、データ入力部１２、操作部１３、記憶部１４、および報知部としての表示部１８を備えている。また、この尿成分分析装置９０は、筐体１０から外部へ突出した態様で筐体１０に取り付けられたセンサ部３０を備えている。
【００６２】
筐体１０は、この例では図２（Ａ）中に示すように、ユーザの手で把持されるべき細長い角柱状の外形を有している。センサ部３０は、筐体１０の一端に取り付けられた細長い棒状の外形を有している。この結果、この尿成分分析装置９０は、ユーザが筐体１０を手に持って使用する手持ちタイプの尿成分分析装置として構成されている。
【００６３】
センサ部３０は、公知のものであり、被測定者が排泄した尿９９に接触して、尿中の特定成分の濃度に関するデータを取得する。この例では、特定成分は、食塩（ＮａＣｌ。適宜「塩分」という。）であるものとする。この例では、センサ部３０は、１回の尿９９中のＮａＣｌ濃度（またはＮａ濃度）を表すデータを取得することができる。
【００６４】
例えば、この手持ちタイプの尿成分分析装置９０を使用する場合、ユーザとしての被測定者が排尿する時、筐体１０を手に持って、図２（Ａ）に示すように、センサ部３０に尿が降りかかる状態にする。これにより、センサ部３０が、被測定者が排泄した尿に接触して、ＮａＣｌ濃度に関するデータを取得することができる。
【００６５】
または、ユーザとしての被測定者が排尿する時、図２（Ｂ）に示すように、１回の尿９９の一部を使い捨ての紙コップ９７に採取し、筐体１０を手に持ってセンサ部３０を紙コップ９７内の尿９９に浸漬しても良い。
【００６６】
または、ユーザとしての被測定者が排尿する時、１回の尿の一部をトイレットペーパ（図示せず）にしみ込ませ、筐体１０を手に持ってセンサ部３０をそのトイレットペーパにしみ込んだ尿に接触させても良い。
【００６７】
いずれにしても、この手持ちタイプの尿成分分析装置によれば、簡単な操作で後述の演算結果が得られる。
【００６８】
図１中に示した制御部１１は、ソフトウェアによって動作するＣＰＵ（中央演算処理ユニット）を含み、第１演算部や第２演算部等として働いて後述の各種処理を実行する。
【００６９】
データ入力部１２は、センサ部３０が取得した尿中の特定成分の濃度に関するデータを、この例ではリアルタイムで入力する。
【００７０】
操作部１３は、図２（Ａ）中に示すスクロールボタン１３Ａを含み、ユーザからの各種情報を入力するために働く。入力される情報としては、測定される尿が、起床後１回目の尿、起床後２回目の尿、就寝直前の尿などのうちのいずれの尿であるかを表す尿指定情報や、被測定者の性別、年齢、血圧・ＢＭＩ（ボディマス指数）を表す情報などが含まれる。尿指定情報を入力するとき、操作部１３は尿指定部として働く。
【００７１】
記憶部１４は、この例ではＥＥＰＲＯＭ（電気的に書き換え可能な不揮発性メモリ）からなり、相関関係記憶部１５Ａ、尿量データベース１５Ｂ、演算結果記憶部１６、およびアドバイステーブル１７を含んでいる。
【００７２】
相関関係記憶部１５Ａは、例えば図５（Ａ），（Ｂ）に示すように、実測された１回の尿中のＮａＣｌ濃度と、実測された１日の全尿中のＮａＣｌ濃度との間の相関関係を表すデータを記憶している（図中の点がそれぞれ実測データを示す。）。具体的には、図５（Ａ）は、実測された起床後１回目の尿中のＮａＣｌ濃度（横軸ｘ、単位［ｇ／Ｌ］とする。）と、実測された１日の全尿中のＮａＣｌ濃度（縦軸ｙ、単位［ｇ／Ｌ］とする。）との間の関係を直線（図５（Ａ）中に実線で示す。）で近似し、相関関係を表すデータとしてその直線の式を記憶する場合を示している。この場合、相関係数がｒ＝０．７８であり、高い相関関係があることを示している。図５（Ｂ）は、実測された起床後２回目の尿中のＮａＣｌ濃度（横軸ｘ、単位［ｇ／Ｌ］とする。）と、実測された１日の全尿中のＮａＣｌ濃度（縦軸ｙ、単位［ｇ／Ｌ］とする。）との間の関係も同様に直線（図５（Ｂ）中に実線で示す。）で近似し、相関関係を表すデータとしてその直線の式を記憶する場合を示している。この場合、相関係数がｒ＝０．８１であることを示している。
【００７３】
なお、相関関係を表すデータとして直線近似の式を記憶する場合を一例として説明したが、これに限られるものではない。相関関係記憶部１５Ａは、その他の関数や、換算データベースなどを記憶しておいても良い。
【００７４】
また、実測された被測定者の全尿中のＮａＣｌ濃度（またはＮａ濃度）および後述のＮａＣｌ排泄量（またはＮａ排泄量）は、その被測定者が排泄した全ての尿を１つに収集して測定されている（蓄尿法。以下同様。）。
【００７５】
尿量データベース１５Ｂは、例えば図６に示すように、性別、年齢に応じたヒトの１日当たりの全尿量を表すデータを収録している。この図６では、横軸ｘが年齢［歳］、縦軸ｙが１日当たりの全尿量（年齢別平均尿量）［Ｌ］をそれぞれ表し、図中の点がそれぞれ実測データを示している。男性では、年齢と１日当たりの全尿量との関係を直線（図６中に実線Ｍで示す。）で近似し、相関関係を表すデータとしてその直線の式を記憶する場合を示している。この場合、分散がＲ２＝０．２２４３になっている。女性では、年齢と１日当たりの全尿量との関係を直線（図６中に実線Ｆで示す。）で近似し、相関関係を表すデータとしてその直線の式を記憶する場合を示している。この場合、分散がＲ２＝０．１８８２になっている。分かるように、性別と年齢の条件が指定（入力）されれば、この尿量データベース１５Ｂを参照することで、ヒトの１日当たりの全尿量を取得することができる。なお、図６中のデータは、本発明者が実測したものである。
【００７６】
アドバイステーブル１７は、例えば図１９に示すように、塩分量（ＮａＣｌ量）と、塩分量に応じた被測定者に対するアドバイスとを対応づけて記憶している。例えば塩分量が０−３ｇの範囲内であれば、「理想的な塩分摂取量です」というアドバイスが対応している。塩分量が３−６ｇの範囲内であれば、「減塩ができています」というアドバイスが対応している。塩分量が６−７．５ｇの範囲内であれば、「あと少しで減塩目標達成です」というアドバイスが対応している。塩分量が７．５−９ｇの範囲内であれば、「塩分摂取が多いので減らしましょう。」というアドバイスが対応している。塩分量が９ｇ以上であれば、「塩分の取り過ぎです。食生活に注意しましょう。」というアドバイスが対応している。なお、アドバイステーブル１７内の塩分量の数値範囲の区分は一例であり、数値範囲の区分を変更した設定も可能である。
【００７７】
図１中に示す演算結果記憶部１６は、制御部１１による演算結果（後述の被測定者の１日の全尿中におけるＮａＣｌ濃度（またはＮａ濃度））を、それぞれ測定日時と対応づけて、順次記憶する。例えば、ユーザは、この演算結果記憶部の内容を読み出すことによって、ユーザは、被測定者の１日の全尿中におけるＮａＣｌ濃度（またはＮａ濃度）の、日ごとの変化の傾向を、容易に知ることができる。
【００７８】
表示部１８は、この例ではＬＣＤ（液晶表示素子）（図２（Ａ）参照）からなり、制御部１１による演算結果などの各種情報を表示する。
【００７９】
この尿成分分析装置９０は、制御部１１による制御によって、全体として例えば図３に示すフローに従って動作する。
【００８０】
ｉ）  まず、図３中のステップＳ１０１に示すように、例えばユーザが図示しない電源スイッチをオンすると、まず尿指定モードに入る。
【００８１】
この例では、尿指定モードでは、制御部１１が尿指定部として働いて、表示部１８に「起床後１回目の尿」、「起床後２回目の尿」、「就寝直前の尿」などの選択肢を表示させる。これらの選択肢が表示されているとき、ユーザがスクロールボタン１３Ａを回転させると、「起床後１回目の尿」、「起床後２回目の尿」、「就寝直前の尿」などの選択肢が順次選択候補として強調表示される。例えば「起床後１回目の尿」が強調表示されている状態で、ユーザがスクロールボタン１３Ａを押すと、測定される尿が「起床後１回目の尿」であることが入力される。このようにして、ユーザは、操作部１３を介して、測定される尿が、起床後１回目の尿、起床後２回目の尿、就寝直前の尿などのうちのいずれの尿であるかを表す尿指定情報を入力する。尿指定情報の入力が完了すると、尿測定モードに入る。
【００８２】
なお、測定される尿が例えば常に「起床後１回目の尿」に限られている場合は、この尿指定モード（ステップＳ１０１）をスキップすることが可能である。
【００８３】
ii）  次に、尿測定モードでは、例えば図２（Ａ）中に示すように、ユーザがセンサ部３０に尿９９を降りかけて、スクロールボタン１３Ａを押す。すると、図３中のステップＳ１０２に示すように、この例ではセンサ部３０がその１回の尿９９中のＮａＣｌ濃度を表すデータを取得し、データ入力部１２がそのＮａＣｌ濃度を表すデータをリアルタイムで入力する。
【００８４】
このデータ入力が完了すると、第１の演算モードに入る。
【００８５】
iii）  次に、第１の演算モードでは、図３中のステップＳ１０３に示すように、制御部１１が第１の演算部として働いて、データ入力部１２を介して得られた被測定者の１回の尿９９中におけるＮａＣｌ濃度に基づいて、相関関係記憶部１５Ａに記憶された相関関係（この例では、図５（Ａ）に示したもの）を用いて、被測定者が１日に排泄した全ての尿を１つに収集するものとしたときの１日の全尿中におけるＮａＣｌ濃度を換算して求める。
【００８６】
なお、換算の対象が「起床後２回目の尿」のものであれば、それに応じて、図５（Ｂ）に示した相関関係を用いることになる。
【００８７】
この換算が完了すると、全尿量取得モードに入る。
【００８８】
iv）  次に、全尿量取得モードでは、図３中のステップＳ１０４に示すように、被測定者が排泄する１日の全尿量を、換算又はデータベースに基づいて取得する。
【００８９】
第１の全尿量取得方法では、被測定者が排泄する１日の全尿量を、尿量データベース１５Ｂに基づいて取得するものとする。
【００９０】
この場合、まず、図４（Ａ）中のステップＳ１１１に示すように、ユーザが操作部１３を介して、被測定者の性別・年齢の条件を入力する。
【００９１】
詳しくは、制御部１１が条件入力部として働いて、表示部１８に、性別として「男性」、「女性」の選択肢を表示させる。これらの選択肢が表示されているとき、ユーザがスクロールボタン１３Ａを回転させると、「男性」、「女性」の選択肢が順次選択候補として強調表示される。例えば「男性」が強調表示されている状態で、ユーザがスクロールボタン１３Ａを押すと、被測定者の性別が「男性」であることが入力される。性別の入力が完了すると、「年齢」を入力するモードに入る。
【００９２】
「年齢」を入力するモードでは、ユーザがスクロールボタン１３Ａを回転させると、年齢の入力候補を示す値が上昇または下降して表示部１８に表示される。ユーザがスクロールボタン１３Ａを押すと、その時に表示されている値が被測定者の年齢として入力される。
【００９３】
年齢の入力が完了すると、図４（Ａ）中のステップＳ１１２に進んで、制御部１１が全尿量取得部として働いて、入力された性別・年齢に基づいて、尿量データベース１５Ｂを参照して、被測定者が排泄する１日の全尿量を取得する。
【００９４】
このようにした場合、上記被測定者が排泄する１日の全尿量を取得するために、ユーザ（または被測定者）は幾つかの条件を入力するだけで済む。よって、上記被測定者が尿量測定する手間を省略できる。
【００９５】
上記第１の全尿量取得方法に代えて、第２の全尿量取得方法では、被測定者が排泄する１日の全尿量を、換算に基づいて取得するものとする。
【００９６】
この場合、予め、被測定者が１日以上のサンプリング期間（例えば３日間）にわたって排泄した全尿量（例えば３．９［Ｌ］とする。）を測定しておくものとする。
【００９７】
まず、図４（Ｂ）中のステップＳ１２１、Ｓ１２２に示すように、ユーザが操作部１３を介して、上記サンプリング期間の日数（上の例では３日間）、上記サンプリング期間の全尿量（上の例では３．９［Ｌ］）を入力する。なお、操作部１３を介した具体的な入力手順は、既述の「年齢」の入力手順と同様である。
【００９８】
次に、図４（Ｂ）中のステップＳ１２３に示すように、制御部１１が全尿量取得部として働いて、上記被測定者が排泄する１日の全尿量を、（サンプリング期間の全尿量）／（サンプリング期間の日数）という割り算により求める。上の例では、上記被測定者が排泄する１日の全尿量は、３．９［Ｌ］／３日間＝１．３［Ｌ／日］として求められる。
【００９９】
このようにした場合、被測定者はサンプリング期間の間だけ尿量を測定すれば済む。よって、長期間にわたって測定を継続する場合に、被測定者が尿量測定する手間を軽減できる。
【０１００】
全尿量の取得が完了すると、第２の演算モードに入る。
【０１０１】
なお、図３中のステップＳ１０１〜Ｓ１０３とステップＳ１０４とは、互いに順序を入れ換えても良い。
【０１０２】
ｖ）  次に、第２の演算モードでは、図３中のステップＳ１０５に示すように、制御部１１が第２演算部として働いて、ステップＳ１０３で求められた１日の全尿中におけるＮａＣｌ濃度に対して、ステップＳ１０４で取得された１日の全尿量を乗算して、被測定者の１日の全尿中におけるＮａＣｌ排泄量を算出する。
【０１０３】
vi）  そして、ステップＳ１０６に示すように、この換算により得られたＮａＣｌ排泄量を、測定日時と対応づけて、演算結果記憶部１６に記憶させる。これとともに、この換算により得られたＮａＣｌ排泄量を、表示部１８に表示させる。
【０１０４】
vii）  また、ステップＳ１０７に示すように、制御部１１がアドバイス部として働いてアドバイステーブル１７（図１９）を参照して、上記換算により得られたＮａＣｌ排泄量（塩分量）とともに、この換算により得られたＮａＣｌ排泄量（塩分量）に応じたアドバイスを選択して、表示部１８に表示させる。
【０１０５】
例えばＮａＣｌ排泄量（塩分量）が２ｇであれば、その数値と「理想的な値です」というアドバイスとを表示させる。
【０１０６】
このように、この尿成分分析装置９０では、被測定者が排泄する１日の全尿量を、換算又はデータベースに基づいて取得するので、被測定者が尿量測定する手間を軽減または省略できる。しかも、入力された被測定者の１回の尿中におけるＮａＣｌ濃度に基づいて、相関関係記憶部１５Ａに記憶された相関関係を用いて、被測定者が１日に排泄した全ての尿を１つに収集するものとしたときの１日の全尿中におけるＮａＣｌ濃度を換算して求めている。この結果、ＮａＣｌ排泄量の算出の精度を高めることができる。
【０１０７】
図７（Ａ），（Ｂ）は、それぞれ、被測定者が排泄する１日の全尿量を第１の全尿量取得方法（尿量データベース１５Ｂを参照）で取得するという条件下で、上述のように１回の尿を用いて換算により得られた１日の全尿中のＮａＣｌ排泄量を、実測された１日の全尿中のＮａＣｌ排泄量を用いて検証した結果を示している。具体的には、図７（Ａ）は、３人以上の被測定者について、それぞれ起床後１回目の尿を用いて換算により得られた１日の全尿中のＮａＣｌ排泄量（横軸、単位［ｇ／日］とする。）と、実測された１日の全尿中のＮａＣｌ排泄量（縦軸、単位［ｇ／日］とする。）とを対応させて、相関の様子を調べたときの結果を示している。この結果では、３人以上の被測定者のデータが互いに区別されていないので、あまり明確な相関が現れていない。図７（Ｂ）は、被測定者Ｎｏ．２、Ｎｏ．６について、それぞれ起床後１回目の尿を用いて換算により得られた１日の全尿中のＮａＣｌ排泄量（横軸ｘ、単位［ｇ／日］とする。）と、実測された１日の全尿中のＮａＣｌ排泄量（縦軸ｙ、単位［ｇ／日］とする。）とを対応させて、相関係数を求めたときの結果を示している。被測定者Ｎｏ．２のデータを直線Ｌ２で近似したとき、分散Ｒ２は０．２２０４であった。また、被測定者Ｎｏ．６のデータを直線Ｌ６で近似したとき、分散Ｒ２は０．６４２３であった。これにより、被測定者のデータを互いに区別すれば、被測定者が排泄した尿中におけるＮａＣｌ排泄量を精度良く求めることができることが分かった。
【０１０８】
また、図８（Ａ）は、被測定者Ｎｏ．２について、１日の全尿量は第１の全尿量取得方法（尿量データベース１５Ｂを参照）で取得するという条件下で、１回（起床後１回目）の尿を用いて換算により得られた日ごとの全尿中のＮａＣｌ排泄量（図中の破線で結んだデータ）を、実測された日ごとの全尿中のＮａＣｌ排泄量（図中の実線で結んだデータ）を用いて検証した結果を示している。図８（Ｂ）は、被測定者Ｎｏ．６について、１日の全尿量は第１の全尿量取得方法（尿量データベース１５Ｂを参照）で取得するという条件下で、１回（起床後１回目）の尿を用いて換算により得られた日ごとの全尿中のＮａＣｌ排泄量（図中の破線で結んだデータ）を、実測された日ごとの全尿中のＮａＣｌ排泄量（図中の実線で結んだデータ）を用いて検証した結果を示している。
【０１０９】
図８（Ｂ）の被測定者Ｎｏ．６についての検証結果では、換算値と実測値との間で、日ごとのＮａＣｌ排泄量およびその増減傾向が略一致している。一方、図８（Ａ）の被測定者Ｎｏ．２についての検証結果では、全体として、日ごとのＮａＣｌ排泄量の換算値のレベルが実測値のレベルよりも高い。この理由は、被測定者Ｎｏ．２が排泄した実際の１日の全尿量が、被測定者Ｎｏ．２について尿量データベース１５Ｂを参照して取得された１日の全尿量に対してずれていることに起因すると考えられる。しかし、換算値と実測値との間で、日ごとのＮａＣｌ排泄量の増減傾向は略一致している。したがって、換算により得られたＮａＣｌ排泄量は、食生活などの生活習慣の改善のための目安として使用できる。
【０１１０】
図９から図１１までは、上述の被測定者Ｎｏ．２について、その被測定者が排泄する１日の全尿量を取得する方法を様々に変えた場合の検証結果を示している。
【０１１１】
具体的には、図９（Ａ）は、図８（Ａ）と同様に、１日の全尿量は第１の全尿量取得方法（尿量データベース１５Ｂを参照）で取得するという条件下で１回の尿を用いて換算により得られた日ごとの全尿中のＮａＣｌ排泄量を、実測された日ごとの全尿中のＮａＣｌ排泄量を用いて検証した結果を示している。図１０（Ａ）は、１日の全尿量は第２の全尿量取得方法（サンプリング期間の全尿量を日数で換算）で１回の尿を用いて換算により得られた日ごとの全尿中のＮａＣｌ排泄量を、実測された日ごとの全尿中のＮａＣｌ排泄量を用いて検証した結果を示している。図１１（Ａ）は、１日（毎日）の全尿量は実測して取得するという条件下で１回の尿を用いて換算により得られた日ごとの全尿中のＮａＣｌ排泄量を、実測された日ごとの全尿中のＮａＣｌ排泄量を用いて検証した結果を示している。また、図９（Ｂ）、図１０（Ｂ）、図１１（Ｂ）は、それぞれ、図９（Ａ）、図１０（Ａ）、図１１（Ａ）中の換算値、実測値をそれぞれ週ごとに平均して得られた平均値を示している。
【０１１２】
図９（Ａ）、図９（Ｂ）では、図８（Ａ）に関して述べたのと同様に、全体として、ＮａＣｌ排泄量の換算値のレベルが実測値のレベルよりも高い。図１０（Ａ）、図１０（Ｂ）では、全体として、ＮａＣｌ排泄量の換算値のレベルが実測値のレベルと略一致している。この理由は、被測定者Ｎｏ．２について、第１の全尿量取得方法（尿量データベース１５Ｂを参照）で取得された１日の全尿量は１．３［Ｌ］であったのに対して、第２の全尿量取得方法（サンプリング期間の全尿量を日数で換算）で取得された１日の全尿量は０．９［Ｌ］であったことによると考えられる。つまり、第２の全尿量取得方法によって取得した１日の全尿量の精度が高まったことにより、換算により得られたＮａＣｌ排泄量の精度が高まったと考えられる。また、図１０（Ａ）、図１０（Ｂ）と図１１（Ａ）、図１１（Ｂ）とを比較すれば、１日の全尿量を第２の全尿量取得方法（サンプリング期間の全尿量を日数で換算）で取得するという条件下で換算により得られたＮａＣｌ排泄量は、１日（毎日）の全尿量を実測して取得するという条件下で換算により得られたＮａＣｌ排泄量と略同様の結果になっている。これにより、１日の全尿量を第２の全尿量取得方法（サンプリング期間の全尿量を日数で換算）で取得するという条件下で、被測定者の１日の全尿中における特定成分の排泄量を精度良く求められることを確認できた。
【０１１３】
なお、上記電源スイッチのオンに続いて、例えばユーザがスクロールボタン１３Ａを３秒間以上押し続けると、制御部１１が表示部１８に「尿指定」、「性別」、「年齢」、「血圧」、「ＢＭＩ」、「身長」、「体重」、「季節」、「月日」、「気温」、「湿度」などの、いずれの情報を入力するかの選択肢を表示させるようにしても良い。これらの選択肢が表示されているとき、ユーザがスクロールボタン１３Ａを回転させると、「尿指定」、「性別」、「年齢」、「血圧」、「ＢＭＩ」、…などの選択肢が順次選択候補として強調表示されるものとする。例えば「血圧」が強調表示されている状態で、ユーザがスクロールボタン１３Ａを押すと、「血圧」を入力するモードに入る。「血圧」を入力するモードでは、ユーザがスクロールボタン１３Ａを回転させると、血圧（最高血圧または最低血圧）の入力候補を示す値が上昇または下降して表示部１８に表示される。ユーザがスクロールボタン１３Ａを押すと、その時に表示されている値が被測定者の血圧（最高血圧または最低血圧）として入力される。残りのＢＭＩなども、血圧と同様の仕方で、入力することが可能である。
【０１１４】
その場合、図２０に示すように、アドバイステーブル１７に、塩分量だけでなく、血圧、ＢＭＩにも応じたアドバイスを記憶させておけば、被測定者に対してより適切なアドバイスを提供できる。図２０の例では、塩分量の範囲「０．０−３．０ｇ」、「３．０−６．０ｇ」、「６−７．５ｇ」、「７．５−９．０ｇ」、「９．０ｇ以上」のそれぞれに対して、最高血圧／最低血圧が「１３５／８５ｍｍＨｇ未満」かつＢＭＩが「２５未満」の場合と、最高血圧／最低血圧が「１３５／８５ｍｍＨｇ以上」かつＢＭＩが「２５以上」の場合と、最高血圧／最低血圧が「１３５／８５ｍｍＨｇ以上」かつＢＭＩが「２５未満」の場合とに分けて、アドバイスが記憶されている。
【０１１５】
例えば、塩分量の範囲が「３．０−６．０ｇ」で、最高血圧／最低血圧が「１３５／８５ｍｍＨｇ以上」かつＢＭＩが「２５以上」の場合については、「減塩は目標達成です。減量／運動・服薬も行って下さい。」というアドバイスが記憶されている。
【０１１６】
また、塩分量の範囲が「９．０ｇ以上」で、最高血圧／最低血圧が「１３５／８５ｍｍＨｇ以上」かつＢＭＩが「２５以上」の場合については、「塩分量が高過ぎです。食生活に十分注意しましょう。減量／運動・服薬も行って下さい。」というアドバイスが記憶されている。
【０１１７】
このようなアドバイステーブルを備えた場合、被測定者に対してきめ細かい、より適切なアドバイスを提供することが可能となる。
【０１１８】
また、ユーザがスクロールボタン１３Ａを操作して、被測定者の「性別」、「年齢」に加えて、「身長」、「体重」、「季節」、「月日」、「気温」、「湿度」などを入力できる場合、尿量データベース１５Ｂとしては、「性別」、「年齢」に加えて、「身長」、「体重」、「季節」、「月日」、「気温」、「湿度」のような条件毎に、ヒトの１日当たりの全尿量を表すデータを収録していても良い。これにより、被測定者の１日の全尿量を第１の全尿量取得方法（尿量データベース１５Ｂを参照）で取得する場合に、その１日の全尿量の精度を高めることができる。その結果、換算により得られたＮａＣｌ排泄量の精度を高めることができる。
【０１１９】
なお、文献（柴田克己著、「日本人の食事摂取基準を改定するためのエビデンスの構築に関する研究−微量栄養素と多量栄養素摂取量のバランスの解明−８．年齢によるヒト尿量の違い」、平成１９年度  総括・分担研究報告書、［平成２３年５月２５日検索］、インターネット＜ＵＲＬ：http://www.shc.usp.ac.jp/shibata/H19-II-08.pdf＞）によれば、『健康なヒトの１日尿量は，小学生で６７１±２２３ｍｌ／ｄａｙ，大学生で８２３±３４１ｍｌ／ｄａｙ，高齢者で１７３１±６１０ｍｌ／ｄａｙであった』とされている。また、『体重当たりで求めた場合，その概数は，小学生で１８．８ｍｌ／ｋｇ，大学生で１４．９ｍｌ／ｋｇ，高齢者で，２９．０ｍｌ／ｋｇとなり』とされている。したがって、ヒトの１日当たりの全尿量は、「年齢」や「体重」に応じて知ることができる。
【０１２０】
また、尿量データベース１５Ｂに「季節」、「月日」に応じたヒトの１日当たりの全尿量を表すデータを含む場合、図１中に示すように、さらに日付をカウントするカレンダ部４０を備えて、被測定者が１回または複数回の尿を排泄したときの季節と月日を、上記カレンダ部の出力によって自動的に設定しても良い。これにより、ユーザが入力すべき条件の数が低減されて、ユーザの手間が省略される。
【０１２１】
（第２実施形態）
上述の第１実施形態では、被測定者が排泄した１回の尿中におけるＮａＣｌ濃度に基づいて、１日の全尿中におけるＮａＣｌ濃度を換算して求めたが、それに限られるものではない。被測定者が１日または複数日にわたって排泄した複数回（この例では２回）の尿中におけるＮａ濃度（またはＮａＣｌ濃度）に基づいて、１日の全尿中におけるＮａ濃度（またはＮａＣｌ濃度）を換算して求めても良い。
【０１２２】
この場合、相関関係記憶部１５Ａに、例えば図１３（Ａ）に示すように、２回（起床後１回目、２回目）の尿を用いて得られた平均Ｎａ濃度と、実測された１日の全尿中のＮａ濃度との間の相関関係を表すデータを記憶させておく。具体的には、図１３（Ａ）は、実測された起床後１回目の尿中のＮａ濃度と実測された起床後２回目の尿中のＮａ濃度とを平均して得られた平均Ｎａ濃度（横軸ｘ、単位［ｍｍｏｌ／Ｌ］とする。）と、実測された１日の全尿中のＮａ濃度（縦軸ｙ、単位［ｍｍｏｌ／Ｌ］とする。）との間の関係を直線（図１３（Ａ）中に実線で示す。）で近似し、相関関係を表すデータとしてその直線の式を記憶する場合を示している。この場合、相関係数がｒ＝０．８２であることを示している。
【０１２３】
または、図１３（Ａ）の相関関係に代えて、もしくは図１３（Ａ）の相関関係に加えて、例えば図１３（Ｂ）に示すように、２回（就寝直前、起床後１回目）の尿を用いて得られた平均Ｎａ濃度と、実測された１日の全尿中のＮａ濃度との間の相関関係を記憶させておく。具体的には、図１３（Ｂ）は、実測された就寝直前の尿中のＮａ濃度と実測された起床後１回目の尿中のＮａ濃度とを平均して得られた平均Ｎａ濃度（横軸ｘ、単位［ｍｍｏｌ／Ｌ］とする。）と、実測された１日の全尿中のＮａ濃度（縦軸ｙ、単位［ｍｍｏｌ／Ｌ］とする。）との間の関係を直線（図１３（Ｂ）中に実線で示す。）で近似し、相関関係を表すデータとしてその直線の式を記憶する場合を示している。この場合、相関係数がｒ＝０．８３であることを示している。
【０１２４】
この場合、この尿成分分析装置９０は、制御部１１による制御によって、全体として図１２に示すフローに従って動作する。
【０１２５】
ｉ）  まず、図１２中のステップＳ２０１に示すように、例えばユーザが図示しない電源スイッチをオンすると、まず１回目の尿指定モードに入る。
【０１２６】
この例では、１回目の尿指定モードでは、ユーザは、操作部１３を介して、測定される尿が、就寝直前の尿であることを表す尿指定情報を入力するものとする。尿指定情報の入力が完了すると、１回目の尿測定モードに入る。
【０１２７】
ii）  １回目の尿測定モードでは、例えば図２（Ａ）中に示すように、ユーザがセンサ部３０に尿９９を降りかけて、スクロールボタン１３Ａを押す。すると、図１２中のステップＳ２０２に示すように、この例ではセンサ部３０がその１回の尿９９中のＮａ濃度を表すデータを取得し、データ入力部１２がそのＮａ濃度を表すデータをリアルタイムで入力する。
【０１２８】
この例では、ここで演算モードには入らず、ユーザが図示しない電源スイッチをオフするものとする。
【０１２９】
iii）  次に、図１２中のステップＳ２０３に示すように、ユーザが図示しない電源スイッチをオンすると、２回目の尿指定モードに入る。
【０１３０】
この例では、２回目の尿指定モードでは、ユーザは、操作部１３を介して、測定される尿が、起床後１回目の尿であることを表す尿指定情報を入力するものとする。尿指定情報の入力が完了すると、２回目の尿測定モードに入る。
【０１３１】
iv）  ２回目の尿測定モードでは、再び図２（Ａ）中に示すように、ユーザがセンサ部３０に尿９９を降りかけて、スクロールボタン１３Ａを押す。すると、図１２中のステップＳ２０４に示すように、この例ではセンサ部３０がその１回の尿９９中のＮａ濃度を表すデータを取得し、データ入力部１２がそのＮａ濃度を表すデータをリアルタイムで入力する。
【０１３２】
この２回目のデータ入力が完了すると、第１の演算モードに入る。
【０１３３】
ｖ）  第１の演算モードでは、図１２中のステップＳ２０５に示すように、制御部１１が第１の演算部として働いて、被測定者が排泄した２回（この例では、就寝直前と起床後１回目）の尿中におけるＮａ濃度を平均して平均Ｎａ濃度を求める。つまり、実測された就寝直前の尿中のＮａ濃度と実測された起床後１回目の尿中のＮａ濃度とを平均して、平均Ｎａ濃度を得る。この平均Ｎａ濃度が換算の対象となる。
【０１３４】
vi）  次に、図１２中のステップＳ２０６に示すように、制御部１１が、得られた平均Ｎａ濃度に基づいて、相関関係記憶部１５Ａに記憶された相関関係（この例では、図１３（Ｂ）に示したもの）を用いて、被測定者が１日に排泄した全ての尿を１つに収集するものとしたときの１日の全尿中におけるＮａ濃度を換算して求める。
【０１３５】
なお、換算の対象が「起床後１回目の尿」と「起床後２回目の尿」のものであれば、それに応じて、図１３（Ａ）に示した相関関係を用いることになる。
【０１３６】
この換算が完了すると、全尿量取得モードに入る。
【０１３７】
vii）  全尿量取得モードでは、図１２中のステップＳ２０７に示すように、被測定者が排泄する１日の全尿量を、換算又はデータベースに基づいて取得する。
【０１３８】
この例では、図４（Ｂ）に示した第２の全尿量取得方法、すなわち、被測定者が排泄する１日の全尿量を、換算に基づいて取得するものとする。
【０１３９】
この場合、予め、被測定者がサンプリング期間として７日間にわたって排泄した全尿量（例えば９．１［Ｌ］）を測定しておくものとする。
【０１４０】
まず、図４（Ｂ）中のステップＳ１２１、Ｓ１２２に示すように、ユーザが操作部１３を介して、上記サンプリング期間の日数（上の例では７日間）、上記サンプリング期間の全尿量（上の例では９．１［Ｌ］）を入力する。
【０１４１】
次に、図４（Ａ）中のステップＳ１２３に示すように、制御部１１が全尿量取得部として働いて、上記被測定者が排泄する１日の全尿量を、（サンプリング期間の全尿量）／（サンプリング期間の日数）という割り算により求める。上の例では、上記被測定者が排泄する１日の全尿量は、９．１［Ｌ］／７日間＝１．３［Ｌ／日］として求められる。
【０１４２】
このようにした場合、被測定者はサンプリング期間の間だけ尿量を測定すれば済む。よって、長期間にわたって測定を継続する場合に、被測定者が尿量測定する手間を軽減できる。
【０１４３】
全尿量の取得が完了すると、第２の演算モードに入る。
【０１４４】
なお、図１２中のステップＳ２０１〜Ｓ２０６とステップＳ２０７とは、互いに順序を入れ換えても良い。
【０１４５】
viii）  第２の演算モードでは、図１２中のステップＳ２０８に示すように、制御部１１が第２演算部として働いて、ステップＳ２０６で求められた１日の全尿中におけるＮａ濃度に対して、ステップＳ２０７で取得された１日の全尿量を乗算して、被測定者の１日の全尿中におけるＮａ排泄量を算出する。
【０１４６】
ix）  そして、ステップＳ２０９に示すように、この換算により得られたＮａ排泄量を、測定日時と対応づけて、演算結果記憶部１６に記憶させる。これとともに、この換算により得られたＮａ排泄量を、表示部１８に表示させる。
【０１４７】
ｘ）  また、ステップＳ２１０に示すように、制御部１１がアドバイス部として働いてアドバイステーブル１７（例えば図１９）を参照して、上記換算により得られたＮａ排泄量（塩分量）とともに、この換算により得られたＮａ排泄量（塩分量）に応じたアドバイスを選択して、表示部１８に表示させる。
【０１４８】
図１４（Ｂ）は、２回（この例では、就寝直前と起床後１回目）の尿を用いて換算により得られた１日の全尿中のＮａ排泄量（横軸）を、実測された１日当たり全尿中のＮａ排泄量（縦軸）を用いて検証した結果を示している。これに対する比較のために、図１４（Ａ）は、１回（この例では、起床後１回目）の尿を用いて換算により得られた１日の全尿中のＮａ排泄量（横軸）を、実測された１日当たり全尿中のＮａ排泄量（縦軸）を用いて検証した結果を示している。ここで、図１４（Ａ）では相関係数がｒ＝０．６９であるのに対して、図１４（Ｂ）では相関係数がｒ＝０．７６になっている。
【０１４９】
このように、２回の尿中におけるＮａ濃度（またはＮａＣｌ濃度）に基づいて、１日の全尿中におけるＮａ濃度（またはＮａＣｌ濃度）を換算して求めた場合、換算値と実測値との間に高い相関（相関係数）が得られて、その結果、被測定者の１日の全尿中におけるＮａ排泄量を精度良く求めることができることが分かった。
【０１５０】
なお、１回または２回の尿中におけるＮａ濃度または平均Ｎａ濃度を換算の対象とする場合、いずれを用いるかについては、換算の精度と、被測定者による尿計測実施の容易さとを考慮して決定するのが望ましい。換算の精度の順は、概ね、第１位が「起床後１回目の尿」と「起床後２回目の尿」との組み合わせ、第２位が「就寝直前の尿」と「起床後１回目の尿」との組み合わせ、第３位が「起床後２回目の尿」、第４位が「起床後１回の尿」という順になる（第１位と第２位とは、ほぼ同じ精度である。）。被測定者が起床後１回目の尿のＮａ濃度を自宅で計測した後、直ちに出勤する場合、出勤先で「起床後２回目の尿」のＮａ濃度を計測するのは、実際問題として難しい。したがって、その場合は、第２位の「就寝直前の尿」と「起床後１回目の尿」との組み合わせを用いるのが望ましい。
【０１５１】
（第３実施形態）
上述の各実施形態では、換算により１日の全尿中のＮａ（またはＮａＣｌ）の排泄量を求めたが、さらに、日ごとに得られたＮａ（またはＮａＣｌ）の排泄量に基づいて、Ｎａ（またはＮａＣｌ）の排泄量の１日当たりの平均値を求めても良い。
【０１５２】
具体的には、制御部１１が第２演算部として働いて、演算結果記憶部１６に記憶された日ごとのＮａ（またはＮａＣｌ）の排泄量を読み出し、１日当たりの平均値を算出する。
【０１５３】
図１５（Ａ），（Ｂ）、図１６（Ａ），（Ｂ）は、平均値を算出すべき期間（日数）ｄを様々に変えて、日ごとに得られたＮａ排泄量の１日当たりの平均値を、実測された全尿中のＮａ排泄量の１日当たりの平均値を用いて検証した結果を示している。
【０１５４】
詳しくは、図１５（Ａ）は、１回（起床後１回目）の尿を用いて換算により得られた１日（ｄ＝１）の全尿中のＮａ排泄量を、実測された１日の全尿中のＮａ排泄量を用いて検証した結果を示している。図１５（Ｂ）は、１回（起床後１回目）の尿を用いて換算により得られた１日の全尿中のＮａ排泄量の３日間（ｄ＝３）にわたる平均値を、実測された３日間にわたる全尿中のＮａ排泄量の１日当たりの平均値を用いて検証した結果を示している。図１６（Ａ）は、１回（起床後１回目）の尿を用いて換算により得られた１日の全尿中のＮａ排泄量の５日間（ｄ＝５）にわたる平均値を、実測された５日間にわたる全尿中のＮａ排泄量の１日当たりの平均値を用いて検証した結果を示している。図１６（Ｂ）は、１回（起床後１回目）の尿を用いて換算により得られた１日の全尿中のＮａ排泄量の７日間（ｄ＝７）にわたる平均値を、実測された７日間にわたる全尿中のＮａ排泄量の１日当たりの平均値を用いて検証した結果を示している。ここで、図１５（Ａ）では相関係数がｒ＝０．６９であるのに対して、図１５（Ｂ）では相関係数がｒ＝０．７９、図１６（Ａ）では相関係数がｒ＝０．８１、図１６（Ｂ）では相関係数がｒ＝０．８３になっている。
【０１５５】
このように、平均値を算出すべき期間（日数）ｄを増やしてゆくと、換算値と実測値との間に高い相関（相関係数）が得られて、その結果、被測定者の１日の全尿中におけるＮａ排泄量を精度良く求めることができることが分かった。
【０１５６】
同様に、図１７（Ａ），（Ｂ）、図１８（Ａ），（Ｂ）は、平均値を算出すべき期間（日数）ｄを様々に変えて、日ごとに得られたＮａ排泄量の１日当たりの平均値を、実測された全尿中のＮａ排泄量の１日当たりの平均値を用いて検証した結果を示している。
【０１５７】
詳しくは、図１７（Ａ）は、２回（就寝直前、起床後１回目）の尿を用いて換算により得られた１日（ｄ＝１）の全尿中のＮａ排泄量を、実測された１日の全尿中のＮａ排泄量を用いて検証した結果を示している。図１７（Ｂ）は、２回（就寝直前、起床後１回目）の尿を用いて換算により得られた１日の全尿中のＮａ排泄量の３日間（ｄ＝３）にわたる平均値を、実測された３日間にわたる全尿中のＮａ排泄量の１日当たりの平均値を用いて検証した結果を示している。図１８（Ａ）は、２回（就寝直前、起床後１回目）の尿を用いて換算により得られた１日の全尿中のＮａ排泄量の５日間（ｄ＝５）にわたる平均値を、実測された５日間にわたる全尿中のＮａ排泄量の１日当たりの平均値を用いて検証した結果を示している。図１８（Ｂ）は、２回（就寝直前、起床後１回目）の尿を用いて換算により得られた１日の全尿中のＮａ排泄量の７日間にわたる平均値を、実測された７日間（ｄ＝７）にわたる全尿中のＮａ排泄量の１日当たりの平均値を用いて検証した結果を示している。ここで、図１７（Ａ）では相関係数がｒ＝０．７６であるのに対して、図１７（Ｂ）では相関係数がｒ＝０．８６、図１８（Ａ）では相関係数がｒ＝０．９０、図１８（Ｂ）では相関係数がｒ＝０．９１になっている。
【０１５８】
この場合も、平均値を算出すべき期間（日数）ｄを増やしてゆくと、換算値と実測値との間に高い相関（相関係数）が得られて、その結果、被測定者の１日の全尿中におけるＮａ排泄量を精度良く求めることができることが分かった。
【０１５９】
総合すると、被測定者が排泄した尿中における特定成分の濃度に関するデータを計測する回数、期間（日数）については、１日１回または複数回の尿を１日または複数日にわたって計測しても良いと言える。計測回数、日数を増やすと、換算により得られたＮａ排泄量（またはＮａＣｌ排泄量）の精度を高めることができる。なお、被測定者は計測期間中に毎日計測する必要はない。例えば、７日間の計測期間中に６回だけ計測するようにしても良い。
【０１６０】
なお、上述の各実施形態では、ユーザが操作部１３を介して、測定される尿が起床後１回目の尿、起床後２回目の尿、就寝直前の尿などのうちのいずれの尿であるかを表す尿指定情報を入力するものとしたが、これに限られるものではない。制御部１１が尿判断部として働いて、Ｎａ濃度（またはＮａＣｌ濃度）に関するデータが入力された時刻に応じて、被測定者が排泄した１回の尿または複数回の尿が起床後１回目の尿、起床後２回目の尿、就寝直前の尿のうちのいずれであるかを判断しても良い。これにより、ユーザが尿指定情報を入力する手間を省くことができる。
【０１６１】
また、上述の各実施形態では、報知部として表示部１８を備えたが、これに限られるものではない。例えば、報知部は、表示部１８に加えて、または表示部１８に代えて、スピーカを備えても良い。この場合、制御部１１が算出したＮａ排泄量（またはＮａＣｌ排泄量）およびＮａ排泄量（またはＮａＣｌ排泄量）に応じたアドバイスを、上記スピーカによって音声でユーザに報知することができる。
【０１６２】
（第４実施形態）
図２１は、この発明の別の実施形態の尿成分分析装置（全体を符号９０Ａで示す。）のブロック構成を示している。なお、理解の容易のために、図１中の構成要素と同じ構成要素には同じ符号を付して、重複した説明を省略する。
【０１６３】
この尿成分分析装置９０Ａは、筐体１０Ａと、この筐体１０Ａに搭載されて収容された制御部１１、記憶部１４および通信部２０を少なくとも備えている。
【０１６４】
この例では、筐体１０Ａは、机上または床上に置かれるべきタワー型の筐体として構成されている。
【０１６５】
通信部２０は、データ入力部１２と、演算結果送信部１９とを含んでいる。この通信部２０は、無線または有線の通信回線３００を介して、筐体１０Ａの外部に存在する携帯電話またはパーソナルコンピュータ（ＰＣ）２００と接続されている。この例では、携帯電話またはＰＣ２００は、ユーザとしての被測定者が操作部（キーボード、テンキー、マウスなど）２０１を操作して使用するものとする。
【０１６６】
データ入力部１２は、携帯電話またはＰＣ２００から通信回線３００を介して、被測定者が排泄した尿中の特定成分の濃度（この例では、Ｎａ濃度またはＮａＣｌ濃度）に関するデータを受信して入力する。
【０１６７】
演算結果送信部１９は、制御部１１が算出した演算結果（この例では、Ｎａ排泄量またはＮａＣｌ排泄量）を、通信回線３００を介して、携帯電話またはＰＣ２００へ出力する。
【０１６８】
この結果、この尿成分分析装置９０Ａは、データの入力、演算結果の出力を無線または有線の通信回線３００を介して行うサーバタイプの尿成分分析装置として構成されている。
【０１６９】
例えば、このサーバタイプの尿成分分析装置９０Ａを使用する場合、筐体１０Ａから離れた遠隔地に居るユーザとしての被測定者が市販のセンサ等によってＮａ濃度（またはＮａＣｌ濃度）に関するデータを取得する。このデータが、被測定者が操作する携帯電話またはＰＣ２００から無線または有線の通信回線３００を介して、データ入力部１２によって入力される。これとともに、被測定者は、携帯電話またはＰＣ２００の操作部２０１を介して、測定の対象となる尿が、起床後１回目の尿、起床後２回目の尿、就寝直前の尿のうちのいずれであるかを表す尿指定情報を入力する。この尿指定情報は、携帯電話またはＰＣ２００から無線または有線の通信回線３００を介して、さらに通信部２０を介して、制御部１１に入力される。この結果、制御部１１によって、被測定者が１日に排泄した全ての尿を１つに収集するものとしたときの上記１日の全尿中におけるＮａ排泄量（またはＮａＣｌ排泄量）が算出される。制御部１１が算出したＮａ排泄量（またはＮａＣｌ排泄量）は、このＮａ排泄量（またはＮａＣｌ排泄量）に応じたアドバイスとともに、演算結果送信部１９によって無線または有線の通信回線３００を介して、筐体１０Ａから離れた遠隔地に居る被測定者の携帯電話またはＰＣ２００へ向けて出力される。この結果、被測定者は、自身が居る場所で、携帯電話またはＰＣ２００の表示部（ＬＣＤなど）２０２を通して、制御部１１が算出したＮａ排泄量（またはＮａＣｌ排泄量）およびこのＮａ排泄量（またはＮａＣｌ排泄量）に応じたアドバイスを知ることができる。
【０１７０】
このように、このサーバタイプの尿成分分析装置９０Ａによれば、筐体１０Ａから離れた遠隔地に居るユーザによる利用が容易になる。
【０１７１】
なお、上述の各実施形態では、換算により求めるべき尿中の特定成分は、ナトリウム（Ｎａ）または塩化ナトリウム（ＮａＣｌ）であるものとしたが、これに限られるものではない。特定成分は、ナトリウムに代えて、カリウムであっても良い。これらの成分が得られれば、例えば被測定者の食生活などの生活習慣の改善に有益なアドバイスが提供され得る。特に、上記特定成分がナトリウムであれば、換算により得られた上記特定成分の排泄量は、被測定者が１日に摂取した塩分（塩化ナトリウム）の量に対応する。したがって、被測定者の高血圧を改善するための情報として用いることができる。
【符号の説明】
【０１７２】
１０，１０Ａ  筐体
１１  制御部
１２  データ入力部
１３  操作部
１５Ａ  相関関係記憶部
１５Ｂ  尿量データベース
１６  演算結果記憶部
１７  アドバイステーブル
１８  表示部
１９  演算結果送信部
９０，９０Ａ  尿成分分析装置
【図１】
0005953018.tif 000002
【図２】
0005953018.tif 000003
【図３】
0005953018.tif 000004
【図４】
0005953018.tif 000005
【図５】
0005953018.tif 000006
【図６】
0005953018.tif 000007
【図７】
0005953018.tif 000008
【図８】
0005953018.tif 000009
【図９】
0005953018.tif 000010
【図１０】
0005953018.tif 000011
【図１１】
0005953018.tif 000012
【図１２】
0005953018.tif 000013
【図１３】
0005953018.tif 000014
【図１４】
0005953018.tif 000015
【図１５】
0005953018.tif 000016
【図１６】
0005953018.tif 000017
【図１７】
0005953018.tif 000018
【図１８】
0005953018.tif 000019
【図１９】
0005953018.tif 000020
【図２０】
0005953018.tif 000021
【図２１】
0005953018.tif 000022